(57)【要約】【課題】全２重通信を使用することで通信効率の高いＴＣＰ／ＩＰ通信を行うことができる無線送受信装置を提供する。【解決手段】本発明の無線送受信装置は、送信するＩＰパケットの宛先ＩＰアドレスが外部ネットワークか、内部ネットワークかを判別する判別部１３と、ＩＰパケットを送受信する際の周波数帯を別けて使用する全２重通信回線を確立する接続確立部でもある設定部１５を有する操作制御部１０と、モデムである変復調部３０と、無線機である送受信部５０と、から構成され、変復調部３０におけるＭＰＵ３１には、ＩＰパケットを送受信している際に全２重通信回線の回線接続を維持するアイドル信号を送受信するアイドル信号送受信部３６と、規定時間内にＩＰパケットを送受信しない場合、全２重通信回線を切断する切断信号を送信する切断信号送信部３８とが設けられている。【選択図】      図３
2008258782.tif 000002
【特許請求の範囲】
【請求項１】
複数のＴＣＰ／ＩＰネットワークのそれぞれに接続され、前記複数のＴＣＰ／ＩＰネットワーク間でＩＰパケットの送受信を行う無線送受信装置であって、
自ネットワークから前記ＩＰパケットを入力し、前記ＩＰパケットに含まれるＩＰアドレスが前記自ネットワーク宛か他ネットワーク宛かを判別する判別部と、
前記判別部によって前記ＩＰアドレスが前記他ネットワーク宛であると判別された際に、前記他ネットワークに接続された無線送受信装置と全２重通信接続を確立し、前記ＩＰパケットの送受信を行う接続確立部と、
前記全２重通信接続が確立された後に、前記ＩＰパケットの送受信が行われていない際に、前記全２重通信接続を維持するためにアイドル信号を送受信するアイドル信号送受信部と、
前記ＩＰパケットの送受信が所定時間継続して行われない際に、前記他ネットワークに接続する無線送受信装置に対して切断信号を送信し、前記全２重通信接続を切断する接続切断部と、
を具備することを特徴とする無線送受信装置。
【発明の詳細な説明】
【技術分野】
【０００１】
本発明は、複数のＴＣＰ／ＩＰネットワーク間でＩＰパケットの送受信を行う無線送受信装置に関する。
【背景技術】
【０００２】
通信プロトコルとしてＴＣＰ／ＩＰを使用してパケットを送受信するようにした無線送受信装置が例えば特許文献１に開示されている。
【特許文献１】特開２００５−３４８２３０号公報
【発明の開示】
【発明が解決しようとする課題】
【０００３】
上述した従来の無線送受信装置は、半２重通信を用いているために無線送受信装置の立ち上がり処理や同期処理に対する時間が長くなってしまう虞が生じてしまう。
【０００４】
また操作者がパケット通信をする際に、周波数帯を手動で設定している。よって切断された回線を再び接続する際やパケットの送信先が変更するたびに通信（回線接続）の確立（回線の立ち上がり）に時間がかかってしまい、迅速な通信に支障が出てしまう虞が生じる。  
またパケットの再送は、上述したサーバ間のＴＣＰ／ＩＰプロトコルに依拠しているために必ずしも迅速な再送処理が実現されているとは限らなかった。
【０００５】
そこで本発明は、これらの事情に鑑みてなされたものであり、全２重通信を使用することで通信効率の高いＴＣＰ／ＩＰ通信を行うことができる無線送受信装置を提供することを目的とする。
【課題を解決するための手段】
【０００６】
本発明は上記した課題を解決するために、複数のＴＣＰ／ＩＰネットワークのそれぞれに接続され、複数のＴＣＰ／ＩＰネットワーク間でＩＰパケットの送受信を行う無線送受信装置であって、自ネットワークからＩＰパケットを入力し、ＩＰパケットに含まれるＩＰアドレスが自ネットワーク宛か他ネットワーク宛かを判別する判別部と、判別部によってＩＰアドレスが他ネットワーク宛であると判別された際に、他ネットワークに接続された無線送受信装置と全２重通信接続を確立し、ＩＰパケットの送受信を行う接続確立部と、全２重通信接続が確立された後に、ＩＰパケットの送受信が行われていない際に、全２重通信接続を維持するためにアイドル信号を送受信するアイドル信号送受信部と、ＩＰパケットの送受信が所定時間継続して行われない際に、他ネットワークに接続する無線送受信装置に対して切断信号を送信し、全２重通信接続を切断する接続切断部と、を具備することを特徴とする無線送受信装置を提供する。
【発明の効果】
【０００７】
本発明によれば、全２重通信を使用することで通信効率の高いＴＣＰ／ＩＰ通信を行うことができる無線送受信装置を提供することができる。
【発明を実施するための最良の形態】
【０００８】
以下、図面を参照して本発明の実施形態について詳細に説明する。図１乃至図４を参照して本実施形態について説明する。図１は、本実施形態における無線送受信装置を用いた無線送受信システムの概略構成図である。図２は、無線送受信装置の各主要部における概略構成図である。図３は、無線送受信装置間にてパケットを送受信する際の通信シーケンスを示す図である。図４は、本実施形態における識別子と、識別子に対応した情報要素を示している。
【０００９】
本実施形態のパケットを送信する無線送受信装置は、ＩＰパケットを受信させる無線送受信装置と通信接続（回線）を確立した後にＩＰパケットを送受信する。詳細には、例えばＩＰパケットを送信する無線送受信装置１がＩＰパケットを受信する送信先である無線送受信装置２に接続要求を送信する。無線送受信装置２が接続要求を受信した後に、無線送受信装置２が無線送受信装置１に接続応答を送信することでＩＰパケットの送受信が開始される。これにより送信側と受信側は、１対１の関係を確立する。
【００１０】
例えば、受信側の無線送受信装置２が図示しない他の無線送受信装置とＩＰパケットの送受信をしている（回線を開いている、通信接続（回線）が確立している）場合、送信側の無線送受信装置１は、受信側の無線送受信装置２にＩＰパケットを送信することはできない。詳細には無線送受信装置１が送信した接続要求を無線送受信装置２が受信しても、無線送受信装置２が無線送受信装置１に接続応答を送信しない。そのため無線送受信装置１と無線送受信装置２には、回線が確立されないためである。
【００１１】
尚、各無線送受信装置１，２は、例えば船舶などの移動体に搭載される。
【００１２】
図１に示すように各無線送受信装置は、主要部として、ＩＰパケットの送受信を制御する操作制御部１０と、操作制御部１０と接続し、無線信号を情報信号に、情報信号を無線信号に変換するモデムである変復調部３０と、変復調部３０と接続し、無線信号を送受信する無線機である送受信部５０と、から構成されている。なお送受信部５０は、例えばソフトウエア無線機（ＳＤＲ：Ｓｏｆｔｗａｒｅ Ｄｅｆｉｎｅｄ Ｒａｄｉｏ）である。
【００１３】
無線送受信装置１，２は、それぞれＴＣＰ／ＩＰネットワークを介してメールサーバ５、ＰＣ７に接続している。詳細には操作制御部１０が、送受信するＩＰパケットを一時記憶し、ＩＰパケットを送受信する際の記録や管理を行うメールサーバ５と、操作端末である複数のＰＣ７と、ＬＡＮ６を介して接続している。なおメールサーバ５とＰＣ７は、ＬＡＮ６を介して接続している。
【００１４】
次に図２を参照して、上述した各主要部について無線送受信装置１を例に詳細に説明する。
【００１５】
ＰＣ７には、文字を入力する入力部（例えばキーボード）１１と、文字や画像といった情報を表示する表示部（例えばモニタ）１２が設けられている。またＰＣ７には、適宜な例えばメールプログラムがインストールされている。
【００１６】
操作制御部１０は、ＰＣ７と同様に操作端末としての機能も有しており、入力部１１や図示しない表示部を有している。また操作制御部１０は、判別部１３と、出力部１４と、設定部１５をさらに有している。
【００１７】
判別部１３は、送信するＩＰパケットの宛先ＩＰアドレスが外部（他）ネットワーク（例えば無線送受信装置１と無線通信可能な無線送受信装置２のＰＣ７または操作制御部１０）であるか、内部（自）ネットワーク（無線送受信装置１のＰＣ７または操作制御部１０を含むネットワーク）であるか否かを判別する。
【００１８】
出力部１４は、外部（他）ネットワークから送信されたＩＰパケットをメールサーバ５に出力する。
【００１９】
設定部１５は、ＩＰパケットを送信させる送信ＣＨの周波数帯とＩＰパケットを受信する受信側の送信ＣＨの周波数帯を別けて使用する全２重通信回線を確立するために送信側の送信ＣＨの周波数帯と受信側の送信ＣＨの周波数帯をそれぞれ設定する。このように設定部１５は、周波数帯をそれぞれ設定して、ＩＰパケットの送受信を行う接続確立部でもある。設定された周波数帯は、設定部１５から後述する送受信部５０に出力される（このように送受信部５０における周波数帯は、設定部１５によって設定される）。
【００２０】
ＰＣ７から送信されたメールは、メールサーバ５に送信される。メールサーバ５は、外部宛のメールを操作制御部１０、変復調部３０、送受信部５０を介して外部ネットワークに送信する。
【００２１】
詳細には、操作制御部１０は、メールサーバ５から送信される外部ネットワーク宛のＩＰパケットを抽出して、変復調部３０にシリアル送信する。
【００２２】
変復調部３０には、ＭＰＵ３１と、ＲＯＭ３２と、ＲＡＭ３３と、変調部３４と、復調部３５と、が設けられている。またＭＰＵ３１には、アイドル信号送受信部３６と、再送部３７と、切断信号送信部３８が設けられている。  
ＲＯＭ３２には、変調部３４、復調部３５を制御するプログラムが格納されている。ＲＡＭ３３には、ＭＰＵ３１を制御する制御データやＭＰＵ３１が各種演算を行う際の演算結果が格納され、また送受信するＩＰパケットが一時的に記憶されている。ＭＰＵ３１は、操作制御部１０におけるＩＰパケットの入力、表示を制御し、ＲＯＭ３２に格納されているプログラムによって変調部３４、復調部３５を制御する。またＭＰＵ３１は、上述した外部ネットワーク宛のＩＰパケットに識別子を付加する。変調部３４は、入力部１１からＭＰＵ３１を介して入力された情報信号を無線信号に変調する変調処理を行い、後述する送信部５１に出力する。復調部３５は、後述する受信部５２から受信した無線信号を情報信号に復調する復調処理を行い、ＭＰＵ３１を介して出力部１４に出力する。このように出力された情報信号（ＩＰパケット）は、出力部１４から送信先のメールサーバ５に送信される。アイドル信号送受信部３６は、ＩＰパケットを送受信している際に全２重通信回線の回線接続を維持するアイドル信号を送受信部５０を介して送信先と送受信する。無線送受信装置間でこのアイドル信号を送受信している際は、前述した設定部１５にて設定された周波数帯で全２重通信回線の回線接続が維持される。再送部３７は、送受信部５０からＩＰパケットを送信した後に、後述する第１の規定時間内に送信先からＡＣＫを受信しない場合、ＩＰパケットを送信先に再送する。切断信号送信部３８は、ＩＰパケットを送受信してから後述する第２の規定時間（所定時間）内にＩＰパケットを送受信しない場合、全２重通信回線を切断する切断信号を送受信部５０を介して送信先に送信する接続切断部である。
【００２３】
送受信部５０には、無線通信によって無線信号、アイドル信号、切断信号を送信する送信部５１と、無線通信によって無線信号、アイドル信号、切断信号を受信する受信部５２が設けられている。
【００２４】
ここで無線送受信装置１が無線送受信装置２にＩＰパケットを送信する際の動作について簡単に説明する。
【００２５】
ＰＣ７から送信されたメールは、メールサーバ５を介して無線送受信装置１の操作制御部１０に送られる。操作制御部１０は、メールを構成するＩＰパケットを変復調部３０にシリアル送信する。ＩＰパケットが変復調部３０にシリアル送信される際に、判別部１３は、ＩＰパケットの宛先ＩＰアドレスが外部ネットワーク（無線送受信装置２のＰＣ７または操作制御部１０）であるか、内部ネットワーク（無線送受信装置１のＰＣ７または操作制御部１０）であるか否かを判別する。判別部１３が、ＩＰパケットの宛先ＩＰアドレスが外部ネットワーク（例えば無線送受信装置２に設けられているＰＣ７）であると判別した場合、ＩＰパケットは、変復調部３０にシリアル送信される。ＭＰＵ３１は、変復調部３０にシリアル送信されたＩＰパケットに対し識別子を付す。変調部３４は、識別子が付されたＩＰパケットを変調処理する。また操作制御部１０の設定部１５は、送受信部５０に対してＩＰパケットを送受信する際の無線回線の周波数帯（チャネル：ＣＨ）をそれぞれ別けて設定する。この周波数帯は、例えばＨＦやＵＨＦである。本実施形態は、２回線を使用して全２重通信のＴＣＰ／ＩＰパケットを送受信する。次に送受信部５０の送信部５１は、変調処理されたＩＰパケット（無線信号）を第１のＣＨを使用して無線送受信装置２に送信する。
【００２６】
無線送受信装置２において、送受信部５０の受信部５２は、ＩＰパケットを受信して変復調部３０に送信する。復調部３５は、受信したＩＰパケットを復調処理し、操作制御部１０にシリアル送信する。操作制御部１０における出力部１４は、シリアル送信されたＩＰパケットをメールサーバ５に送信する。ＰＣ７は、例えばＰＯＰなどの適宜な受信用プロトコルを使用して、メールサーバ５に蓄積されたメールを受信する。
【００２７】
なお無線送受信装置２から無線送受信装置１にＩＰパケットを送信する場合は、第２のＣＨを使用することを除き同様な処理が行われる。
【００２８】
本実施形態は、上述したようにＩＰパケットを送受信する際に２回線（第１のＣＨと第２のＣＨ）を使用して全２重通信のＴＣＰ／ＩＰパケットを送受信する。
【００２９】
次に無線送受信装置１と無線送受信装置２の間でＩＰパケットを送受信する際の動作について図３、図４を参照して説明する。図３において、ＰＣ７とメールサーバ５の間のデータの送受については簡略化のために省略している。
【００３０】
無線送受信装置１側のＴＣＰ／ＩＰネットワークに接続されたＰＣ７が無線送受信装置２側のＴＣＰ／ＩＰネットワークに接続されたＰＣ７にメール（ＩＰパケット）を送信する場合、無線送受信装置１側のＰＣ７の入力部１１に文字が入力される。入力された文字は、複数のＩＰパケットに分割され、メールサーバ５に送信される。メールサーバ５に蓄積されたＩＰパケットは、ＬＡＮ６を経由して無線送受信装置１の操作制御部１０に送信される。送信されたＩＰパケットは、判別部１３によってＩＰパケット中の宛先ＩＰアドレスが判別される。判別部１３は、このアドレスが上述したように外部ネットワークのアドレスであるか、内部ネットワークのアドレスであるか否かを判別する。判別部１３が、ＩＰパケットの宛先ＩＰアドレスを外部ネットワークであると判別した場合、ＩＰパケットは、操作制御部１０によって変復調部３０にシリアル送信される。
【００３１】
またＩＰパケットを送受信する際の周波数帯が設定部１５によってそれぞれ別けて設定される。
【００３２】
変復調部３０にシリアル送信されたＩＰパケットは、ＭＰＵ３１を経由して変調部３４に送信される。送信されたＩＰパケットは、変調部３４によって変調処理される。変調処理されたＩＰパケット（無線信号）は、送信部５１に送信される。送信部５１は、ＩＰパケットを設定部１５によって設定された周波数帯（例えばＨＦ）を用いて無線送受信装置２に送信する。
【００３３】
ここで無線送受信装置１が、無線送受信装置２に１番初めに送信するＩＰパケットを第１のＩＰパケットと称する。無線送受信装置１が、無線送受信装置２に第１のＩＰパケットを送信する際（無線送受信装置１が無線送受信装置２と回線を接続する際）に、無線送受信装置１は、図３に示すように無線送受信装置２に例えばＨＦを用いているＣＨ１（上述した第１のＣＨ）を使用して無線通信を行うとする接続要求を変復調部３０から送受信部５０（送信部５１）を経由して送信する。図４に示すように接続要求は、ＭＰＵ３１によって付加された識別子であり、この識別子は、情報要素を有している。情報要素には、例えば接続元アドレス、送信先アドレス、ＣＲＣ（Ｃｙｃｌｉｃ  Ｒｅｄｕｎｄａｎｃｙ  Ｃｈｅｃｋ：巡回符合検査）が含まれている。受信部５２にて接続要求を受信した無線送受信装置２は、無線送受信装置１に第１のＣＨとは異なる周波数帯のＣＨ２（第２のＣＨ）を使用して接続応答を変復調部３０から送受信部５０（送信部５１）を経由して送信する。図４に示すように接続応答は、ＭＰＵ３１によって付加された識別子であり、この識別子は、情報要素を有している。情報要素には、例えば接続元アドレス、送信先アドレス、ＣＲＣが含まれている。このように無線送受信装置１，２は、２つの回線を使用し、全２重通信を行う。またこの設定は、設定部１５にて１度設定すれば共通化できるために、送信先（本実施形態では無線送受信装置２から図示しないほかの無線送受信装置）が切り換わっても周波数帯の設定を変更する必要は無い。
【００３４】
なお無線送受信装置１が、無線送受信装置２に接続要求を送信した際に、無線送受信装置２が図示しない無線送受信装置とＩＰパケットを送受信している場合、無線送受信装置２は、無線送受信装置１の接続要求に対する接続応答を送信することはない。これにより無線送受信装置１は、無線送受信装置２と１対１の関係を確立することができる。
【００３５】
無線送受信装置２から送信された接続応答を受信部５２にて受信した無線送受信装置１は、第１のＩＰパケットを送信部５１から無線送受信装置２に送信する。この第１のＩＰパケットには、図４に示すように接続要求や接続応答と同様に識別子がＭＰＵ３１によって付され、この識別子は、情報要素を有している。この識別子は、データである。情報要素は、例えばこの第１のＩＰパケットが先頭、途中、最終のいずれかであるかを示している。また情報要素には、接続元アドレス、送信先アドレス、第１のＩＰパケットのパケットＮｏ、第１のＩＰパケットのサイズ（容量）、送信した日時情報といったＴＣＰ／ＩＰデータ、ＣＲＣ等が含まれている。
【００３６】
受信部５２にて第１のＩＰパケットを受信した無線送受信装置２において、復調部３５は、復調処理を行った後、操作制御部１０にシリアル送信する。操作制御部１０は、出力部１４によって第１のＩＰパケットをメールサーバ５に送信する。ＰＣ７は、上述したように例えばＰＯＰなどの適宜な受信用プロトコルを使用して、メールサーバ５に蓄積されたメールを受信する。このＩＰパケットは、ＬＡＮ６を経由してＰＣ７の表示部１２に表示される。また第１のＩＰパケットを受信した無線送受信装置２は、第１のＡＣＫを無線通信プロトコルを使用して変復調部３０から送受信部５０（送信部５１）を経由して無線送受信装置１に送信する。この第１のＡＣＫは、図４に示すようにＭＰＵ３１によって付加された識別子であり情報要素を有している。情報要素には接続元アドレス、送信先アドレス、パケットＮｏ、ＣＲＣが含まれている。無線送受信装置１が第１のＡＣＫを受信部５２にて受信することで、第１のＩＰパケットが無線送受信装置２に送信されたと無線送受信装置１は認識する。
【００３７】
さらに無線送受信装置１が２番目のＩＰパケット（以下、第２のＩＰパケットと称する）、３番目のＩＰパケット（以下、第３のＩＰパケットと称する）を無線送受信装置２に送信する。第２のＩＰパケットと第３のＩＰパケットの識別子及び情報要素は、第１のＩＰパケットと同様である。その際、無線送受信装置１が第２のＩＰパケットに対する第２のＡＣＫを無線送受信装置２からＴ１時間（例えば設定部１５によって任意に設定される第１の規定時間）内に受信しなかった場合、無線送受信装置１は、Ｔ１時間後に無線送受信装置２に第２のＩＰパケットを最大Ｎ回（例えば３回）再送する。詳細には、無線送受信装置１のＭＰＵ３１において、第２のＩＰパケットが送信された直後から時間がカウントされる。無線送受信装置１の受信部５２が、設定されているＴ１時間内に第２のＡＣＫを受信せず、さらにＭＰＵ３１がカウントした時間が、Ｔ１時間を越えた（タイムアウトした）際に、再送部３７は、第２のＩＰパケットを変調部３４、送信部５１を介して再送する。再送される回数は、操作制御部１０にて任意に変更（設定）できる。また無線送受信装置２が受信部５２にて再送された第２のＩＰパケットを受信した場合、第１のＡＣＫと同様に無線通信プロトコルにて第２のＡＣＫを送信部５１から無線送受信装置１に送信する。
【００３８】
なお無線送受信装置１の再送部３７が、第２のＩＰパケットを再送信した直後から再び時間がＭＰＵ３１によってカウントされる。無線送受信装置１の受信部５２が、さらにＴ１時間内に再送信した第２のＩＰパケットに対する第２のＡＣＫを受信せず、さらにＭＰＵ３１がカウントした時間が、Ｔ１時間を越えると、第２のＩＰパケットが上述したように再送部３７によって再送される。
【００３９】
なお無線送受信装置１から無線送受信装置２への通信接続が確立している場合、無線送受信装置１と無線送受信装置２は互いにアイドル信号送受信部３６からアイドル信号を送受信して、通信接続を維持している。このアイドル信号は、例えば図３に示す第１のＩＰパケットと第１のＡＣＫの間、第２のＩＰパケットと第３のＩＰパケットの間、第２のＡＣＫと第４のＩＰパケットの間といったように無線送受信装置１と無線送受信装置２の間にて常に送信受されている。図３においては、アイドル信号を簡略化のために第３のＡＣＫと第２のＩＰパケットの再送の間、及び後述する第４のＡＣＫと切断信号の間にのみ記載している。なおＩＰパケットの送受信が終了した後も、一定時間（第２の規定時間（所定時間）、詳細については後述する）アイドル信号は送受信され続け、この通信接続は一定時間切断されず確立されている。
【００４０】
無線送受信装置２が第１のＩＰパケットと同様に第３のＩＰパケットを受信したのであれば、無線送受信装置２は無線通信プロトコルにて第３のＡＣＫを変復調部３０から送受信部５０を経由して無線送受信装置１に送信する。第２のＡＣＫ、第３のＡＣＫの識別子及び情報要素はそれぞれ第１のＡＣＫと同様である。
【００４１】
また無線送受信装置２が無線送受信装置１にＩＰパケットを送信する（このＩＰパケットを第４のＩＰパケットと称する）場合、無線送受信装置１が無線送受信装置２にＩＰパケットを送信することと同様に送信する。第４のＩＰパケットを受信した無線送受信装置１は、無線通信プロトコルにて第４のＡＣＫを変復調部３０から送受信部５０を経由して無線送受信装置２に送信する。第４のＩＰパケット、第４のＡＣＫの識別子及び情報要素は、第１のＩＰパケット、第１のＡＣＫとそれぞれ同様である。
【００４２】
接続要求をした無線送受信装置（本実施形態では無線送受信装置１）は、ＩＰパケットを送信、または受信してから（本実施形態では第４のＩＰパケットを受信してから）Ｔ２時間（例えば設定部１５によって任意に設定される第２の規定時間）を経過してもＩＰパケットを送信、または受信しない場合、送信元無線送受信装置（本実施形態では無線送受信装置１）の切断信号送信部３８は、送信先無線送受信装置（本実施形態では無線送受信装置２）に切断信号をＭ回（例えば３回）連続して送受信部５０（送信部５１）を経由して送信する。
【００４３】
詳細にはこのＴ２時間は、無線送受信装置１の送信部５１がＩＰパケットを送信、または無線送受信装置１の受信部５２が受信した後に、無線送受信装置１のＭＰＵ３１によってカウントされる。切断信号送信部３８は、Ｔ２時間継続してＩＰパケットを受信していない場合、送信部５１を通じて切断信号を少なくとも２回連続して送信する。これにより無線送受信装置１は、無線送受信装置２との全２重通信を切断する。図４に示すように切断信号は、識別子であり情報要素を有している。情報要素として例えば接続元アドレス、送信先アドレス、ＣＲＣが含まれている。無線送受信装置２との通信を切断した無線送受信装置１は、接続要求を送信することで再び無線送受信装置２、または図示しないほかの無線送受信装置と全２重通信接続することができる。
【００４４】
なおＴ２時間経過までに無線送受信装置１と無線送受信装置２は、互いに上述したようにアイドル信号を送信しつづけて、Ｔ２時間が経過するまで通信接続を維持している。
【００４５】
また送信先が変更され、ＩＰパケットを送受信する際に、上述にて設定（共通化）された周波数帯を使用することで、通信先が変更しても周波数帯の設定を変更する必要がない。よって迅速に接続要求を送信できる。
【００４６】
このように本実施形態は、情報を送信する際の周波数帯と受信する際の周波数帯（例えばＨＦやＵＨＦ）を別けて設定し、使用することでＴＣＰ／ＩＰ通信を全二重通信で使用することができる。これにより本実施形態は、送受信の際に、送信と受信の切り替える必要が無いためにスムーズにＩＰパケットを送受信することができ、通信効率を向上させることができる。また無線通信プロトコルをＴＣＰ／ＩＰプロトコルと並行に使用してＡＣＫを送信することで再送するために必要な時間を最小限に抑えることができる。
【００４７】
また本実施形態は、例えばＨＦやＵＨＦにおける周波数帯を一度設定することにより、全ての無線送受信装置がこの設定された周波数帯を使用することで送信先が切り換わっても周波数帯を変更する必要が無い。よって通信接続を確立する際に要する時間の浪費を防止することができ、迅速に通信を開始することができる。
【００４８】
本実施形態は、ＩＰパケットを送受信していない場合、一定時間（Ｔ２時間）アイドル信号を互いに送受信して、通信接続の確立を継続している。よってＩＰパケットが送受信された後に、本実施形態はその都度通信接続が切断することを防止している。よって本実施形態は、ＩＰパケットを送信する度に通信接続を確立することが不要である。
【００４９】
また接続要求を送信した無線送受信装置１が、ＩＰパケットを送受信してから一定時間（Ｔ２時間）経過した後に、自動で通信を切断するために、特定の無線送受信装置との通信接続の占有を防止でき、通信効率を上げることができる。また切断信号を、Ｔ２時間を経過した後に自動で複数回連続して送信するようにしたため、より確実に通信を切断することができる。
【００５０】
なお本実施形態は、Ｔ２時間経過した後に自動で切断信号を送信していたが、これに限定する必要は無く手動操作にて切断信号を送信しても良い。
【００５１】
また本実施形態におけるメールサーバ５が、図示しないインターネット網と接続することで、本実施形態は、無線送受信装置間で送受信したＩＰパケットをインターネット網に接続している図示していないＰＣ等と送受信することができる。
【００５２】
また本実施形態は、送信元である無線送受信装置１のＭＰＵ３１が、Ｔ２時間をカウントしたがこれに限定される必要は無く、無線送受信装置２のＭＰＵ３１がカウントし、カウント結果を無線送受信装置１に送信した後に上述したように無線送受信装置1が切断信号をＭ回連続して送信してもよい。または無線送受信装置２が無線送受信装置２に切断信号をＭ回連続して送信してもよい。
【００５３】
また切断信号は、Ｍ回送信することとしたがこれに限定される必要は無く、例えば操作制御部１０にて任意に変更できるＴ３時間送信しつづける形態でも良い。
【００５４】
また本実施形態は、周波数帯にＨＦ、ＵＨＦを使用したがこれらに限定する必要は無く、例えばＶＨＦを使用しても良い。
【図面の簡単な説明】
【００５５】
【図１】図１は、本実施形態における無線送受信装置におけるシステムの概略構成図である。
【図２】図２は、無線送受信装置の各主要部における概略構成図である。
【図３】図３は、無線送受信装置間にてパケットを送受信する際の通信シーケンスを示す図である。
【図４】図４は、本実施形態における識別子と、識別子に対応した情報要素を示す図である。
【符号の説明】
【００５６】
１…無線送受信装置、２…無線送受信装置、５…サーバ、６…ＬＡＮ、７…ＰＣ、１０…操作制御部、１１…入力部、１２…表示部、１３…判別部、１４…出力部、１５…設定部、３０…変復調部、３１…ＭＰＵ、３２…ＲＯＭ、３３…ＲＡＭ、３４…変調部、３５…復調部、３６…アイドル信号送受信部、３７…再送部、３８…切断信号送信部、５０…送受信部、５１…送信部、５２…受信部。
【図１】
2008258782.tif 000003
【図２】
2008258782.tif 000004
【図３】
2008258782.tif 000005
【図４】
2008258782.tif 000006